(57)【要約】【課題】バヨネット機構を有するレンズフードでは、特定の組合せによってのみバヨネット部とバヨネット受部のバヨネット結合が可能であったため、寸法誤差が生ずると、装着角度が変化してしまい、バランスの良い装着が難しく、歩留りが悪いものであった。【解決手段】一端に花びら形状を有し、且つ、他端に第１のバヨネット部１１２が設けられた第１のフード環１０１と、一端にレンズ装置７に取り付けるための取り付け部１０３ａが設けられた第２のフード環１０３と、第２のフード環１０３に回動可能に嵌合されると共に第１のバヨネット部１１２に係合可能なバヨネット受部１２８が設けられた固定リング１０２と、を具えている。そして、第１のバヨネット部１１２とバヨネット受部１２８は周方向の所定の位置で係合可能であり、第１のバヨネット部１１２とバヨネット受部１２８を係合することにより固定リング１０２と第２のフード環１０３との間の相互の回動が阻止されるように構成した。【選択図】図１６
2008203683.tif 000002
【特許請求の範囲】
【請求項１】
レンズ装置に着脱可能に装着されるレンズフードであって、
円筒体の軸方向の一端に花びら形状を有し、且つ、当該円筒体の軸方向の他端に第１のバヨネット部が設けられた第１のフード環と、
円筒体の軸方向の一端に前記レンズ装置に取り付けるための取り付け部が設けられた第２のフード環と、
前記第２のフード環に回動可能に嵌合され且つ回動方向の任意の位置で仮固定が可能であって、前記第１のバヨネット部に係合可能なバヨネット受部が設けられたリング状をなす固定リングと、を具え、
前記第１のバヨネット部と前記バヨネット受部は周方向の所定の位置で係合可能であり、当該第１のバヨネット部とバヨネット受部を係合することにより前記固定リングと前記第２のフード環との間の相互の回動が阻止されるように構成した
ことを特徴とするレンズフード。
【請求項２】
前記第２のフード環及び前記固定リングの一方に、凸部又は凹部を周方向に等間隔に配置した係合受部を設け、
前記第２のフード環及び前記固定リングの他方に、前記係合受部に係合離脱可能な突起又は窪みからなる係合部を設け、
前記係合部を前記係合受部に係合することにより前記固定リングを前記第２のフード環に仮固定する
ことを特徴とする請求項１記載のレンズフード。
【請求項３】
前記係合部は、他の部分よりも肉厚を薄くすることによって弾性を付した板ばね部に形成し、
前記第１のバヨネット部と前記バヨネット受部との係合により前記板ばね部を弾性変形して前記係合部を前記係合受部に付勢する
ことを特徴とする請求項２記載のレンズフード。
【請求項４】
前記第２のフード環に、周方向に連続する環状溝を設け、
前記固定リングに、前記環状溝に係合される係合爪を設けた
ことを特徴とする請求項１記載のレンズフード。
【請求項５】
前記第１のフード環の前記第１のバヨネット部の隣に、当該第１のバヨネット部の嵌合方向とは反対側から嵌合される第２のバヨネット部を設け、
前記第１のフード環を花びら形状側から前記固定リングに挿入して係合することにより当該第１のフード環を逆側の姿勢で固定可能とした
ことを特徴する請求項１記載のレンズフード。
【請求項６】
被写体からの像光が入射されるレンズ装置と、
前記レンズ装置の前記被写体側に取り付けられるレンズフードと、を備えた撮像装置において、
前記レンズフードは、
円筒体の軸方向の一端に花びら形状を有し、且つ、当該円筒体の軸方向の他端に第１のバヨネット部が設けられた第１のフード環と、
円筒体の軸方向の一端に前記レンズ装置に取り付けるための取り付け部が設けられた第２のフード環と、
前記第２のフード環に回動可能に嵌合され且つ回動方向の任意の位置で仮固定が可能であって、前記第１のバヨネット部に係合可能なバヨネット受部が設けられたリング状をなす固定リングと、を具え、
前記第１のバヨネット部と前記バヨネット受部は周方向の所定の位置で係合可能であり、当該第１のバヨネット部とバヨネット受部を係合することにより前記固定リングと前記第２のフード環との間の相互の回動が阻止されるように構成した
ことを特徴とする撮像装置。
【請求項７】
前記レンズ装置は、沈胴式レンズである
ことを特徴とする請求項６記載の撮像装置。
【発明の詳細な説明】
【技術分野】
【０００１】
本発明は、レンズ装置の先端に着脱自在に装着され、レンズ画角以外からの有害光を遮蔽するレンズフード、及びそのレンズフードを備えた撮像装置に関するものである。
【背景技術】
【０００２】
この種のレンズフードには、被写体側となる先端に花びら形状を有する、いわゆる花びら形レンズフードと呼ばれるものがある。ここで、「花びら形状」とは、円弧状の突起部を上下及び左右に対称、又は上下のみに対称に配置したことにより花びらのような形状をなしていることから、このように呼ばれているものである。この花びら形状は、撮影する画角が横長の長方形をなしていることに対応して、ケラレを無くすように四隅に切欠きを設けることによって形成されている。この花びら形レンズフードは、一般に、花びら形状を有する円筒体をなす第１のフード環と、レンズ装置の先端にネジ部を螺合して取り付けられる第２のフード環と、この第２のフード環と第１のフード環を連結するねじ込み式のネジ部材から構成されている。
【０００３】
このような構成を有するレンズフードの取り付けは、まず、第２のフード環をレンズ装置の先端にネジ部を螺合して取り付ける。ここで、ネジ部材は、予め第２のフード環のネジ部と反対側となる先端部に螺合されて取り付けられている。この第２のフード環の先端部に、第１のフード環の花びら側と反対側となる基端部を対向させ、第１のフード環の角度位置を調節して、第２のフード環に挿入する。そして、第２のフード環のフランジ部とネジ部材で第１のフード環のフランジ部を挟み、所定の締込み力が発揮されるようになるまでネジ部材を回転させる。これにより、ネジ部材と第２のフード環で第１のフード環を締め付け、第１のフード環を所定の位置に固定していた。
【０００４】
そのため、上述した従来のレンズフードでは、レンズフードの着脱の際に、ネジ部材を複数回回転させて第１のフード環を締め込む作業が必要となり、着脱作業に時間がかかるばかりでなく、ネジ部材の回転動作という煩わしい作業が必要であった。更に、第２のフード環に対する第１のフード環の取り付け角度を装着の度に調節する必要があった。また、ネジ部材を締め込む作業の際に、締め込み時の摩擦力等によって第１のフード環の角度位置が変化することがあり、レンズフードを所望の角度位置で固定する作業が困難である、という問題があった。
【０００５】
このような花びら形状を有するレンズフードの一つとして、例えば、特許文献１に記載されているようなものがある。特許文献１には、カメラ等のレンズ鏡筒の前部に装着するレンズフード装置に関するものが記載されている。この特許文献１に記載されたレンズフードは、「先端に花びら形状を有した第１のフード環と、前記第１のフード環に嵌合し、レンズ鏡筒前部の固定部にバヨネット結合するためのバヨネットを内側に有する第２のフード環と、前記第１のフード環と前記第２のフード環を光軸方向に付勢している弾性部材とを設けて構成する」ことを特徴としている。
【０００６】
このような構成を有するレンズフードによれば、「レンズへの逆かぶせ時の内蔵ストロボとの干渉を考えることなくフード効果を最大限生かせる花びら形状とすることが可能となる」等の効果が期待される。
【０００７】
また、従来のこの種のレンズフードの他の例として、例えば、特許文献２に記載されているようなものもある。特許文献２には、レンズ画角以外からの有害光を遮蔽するために、有害光遮蔽用のレンズフードを、カメラの撮影レンズ鏡筒の先端部位に対して着脱自在に装着可能としたカメラのレンズフード装置に関するものが記載されている。この特許文献２に記載されたカメラのレンズフード装置は、「基端部位が円筒形をなし先端部位が花びら形をなすレンズフードを、カメラにおける撮影レンズ鏡筒に対し、バヨネット機構を介して着脱自在に装着可能な如く設けられたカメラのレンズフード装置であって、前記バヨネット機構は、前記撮影レンズ鏡筒の先端部位に円周方向に沿って形成された複数の鏡筒側係合部と、これらの鏡筒側係合部とそれぞれ係合可能な如く、前記レンズフードの基端部位に円周方向に沿って形成された複数のフード側係合部とからなり、互いに緊密に係合し合う前記鏡筒側係合部と前記フード側係合部とのペアのうち、一つのペアにおける前記撮影レンズ鏡筒の光軸方向の係合寸法が、他のペアにおける当該光軸方向の係合寸法とは異なる値に設定されている」ことを特徴としている。
【０００８】
このような構成を有するレンズフード装置によれば、「係合爪のサイズが小さく、カメラの外観不良をきたすおそれがない」等の効果が期待される。
【特許文献１】特開平７−１４０５２２号公報
【特許文献２】特開２００１−２６４８５１号公報
【０００９】
上記特許文献１に記載されたレンズフード（以下「第１の従来例」という。）及び特許文献２に記載されたレンズフード装置（以下「第２の従来例」という。）は、共にバヨネット機構を有するレンズフードである。即ち、第１の従来例は、レンズフードに係合部を設けると共に、レンズ鏡筒に固定部を設け、バヨネット結合によりレンズフードをレンズ鏡筒に着脱可能に装着する構成となっている。また、第２の従来例は、第１の従来例と略同様の構成を有しており、レンズフードにフード側係合部を設けると共に、レンズ鏡筒に鏡筒側係合部を設け、バヨネット結合によりレンズフードをレンズ鏡筒に着脱可能に装着する構成となっている。
【００１０】
しかしながら、第１の従来例では、レンズフードを所望の角度位置で固定するために、係合部と固定部が特徴的な形状を有しており、その特定の組合せによってのみ係合部と固定部によるバヨネット結合が行える構成となっていた。即ち、レンズフードの装着角度は、係合部と固定部によって一義的に決定されていた。その結果、係合部又は固定部に寸法誤差が生ずると、その寸法誤差に伴ってレンズフードの装着角度が変化してしまい、バランス良く取り付けることが難しく、バランスよく簡単に取り付けるためにはネジ切り等の工程に精度が必要となり、歩留りが悪くなる等の問題があった。
【００１１】
更に、第２の従来例も第１の従来例と略同様であって、レンズフードを所望の角度位置で固定するために、特定の組合せによってのみフード側係合部と鏡筒側係合部のバヨネット結合が行える構成となっていた。そのため、レンズフードの装着角度は、同じくフード側係合部と鏡筒側係合部によって一義的に決定されていた。その結果、フード側係合部又は鏡筒側係合に寸法誤差が生ずると、その寸法誤差に伴ってレンズフードの装着角度が変化してしまい、同様にバランス良く取り付けることが難しく、バランスよく簡単に取り付けるためにはネジ切り等の工程に精度が必要となり、歩留りが悪くなる等の問題があった。
【発明の開示】
【発明が解決しようとする課題】
【００１２】
解決しようとする問題点は、第１の従来例及び第２の従来例に示すようなバヨネット機構を有するレンズフードでは、レンズフードを所望の角度位置で固定するために、特定の組合せによってのみバヨネット部とバヨネット受部のバヨネット結合が行える構成となっていた。そのため、レンズフードの装着角度が一義的に決定され、バヨネット部及びバヨネット受部に寸法誤差が生ずると、その寸法誤差に伴ってレンズフードの装着角度が変化してしまい、バランス良く取り付けることが難しく、ネジ切り等の工程の精度が必要となるため歩留りが悪くなる、という点である。
【課題を解決するための手段】
【００１３】
本発明のレンズフードは、レンズ装置に着脱可能に装着されるレンズフードであって、円筒体の軸方向の一端に花びら形状を有し、且つ、円筒体の軸方向の他端に第１のバヨネット部が設けられた第１のフード環と、円筒体の軸方向の一端にレンズ装置に取り付けるための取り付け部が設けられた第２のフード環と、第２のフード環に回動可能に嵌合され且つ回動方向の任意の位置で仮固定が可能であって、第１のバヨネット部に係合可能なバヨネット受部が設けられたリング状をなす固定リングと、を具えている。そして、第１のバヨネット部とバヨネット受部は周方向の所定の位置で係合可能であり、第１のバヨネット部とバヨネット受部を係合することにより固定リングと第２のフード環との間の相互の回動が阻止されるように構成したことを最も主要な特徴とする。
【００１４】
本発明の撮像装置は、被写体からの像光が入射されるレンズ装置と、レンズ装置の被写体側に取り付けられるレンズフードと、を備えている。このレンズフードは、円筒体の軸方向の一端に花びら形状を有し、且つ、円筒体の軸方向の他端に第１のバヨネット部が設けられた第１のフード環と、円筒体の軸方向の一端に前記レンズ装置に取り付けるための取り付け部が設けられた第２のフード環と、第２のフード環に回動可能に嵌合され且つ回動方向の任意の位置で仮固定が可能であって、第１のバヨネット部に係合可能なバヨネット受部が設けられたリング状をなす固定リングと、を具えている。そして、第１のバヨネット部とバヨネット受部は周方向の所定の位置で係合可能であり、第１のバヨネット部とバヨネット受部を係合することにより固定リングと第２のフード環との間の相互の回動が阻止されるように構成したことを特徴とする。
【発明の効果】
【００１５】
本発明のレンズフード及び撮像装置によれば、第２のフード環に対する第１のフード環の位置決めが容易であって、所望の位置で簡単に固定リングと第２のフード環との間の相対的な回動を阻止することができる。
【発明を実施するための最良の形態】
【００１６】
第１のフード環と第２のフード環と固定リングを設け、ラチェット形式のバヨネット機構を利用することにより、所望の位置で固定リングと第２のフード環との間の相対的な回動を簡単且つ確実に阻止することができる。
【００１７】
以下、本発明の実施の形態を、添付図面を参照して説明する。図１〜図２７は本発明の撮像装置の実施の形態の例を示すものである。即ち、図１は本発明の撮像装置の第１の実施の例を正面から見た斜視図、図２は背面側から見た斜視図、図３は背面図、図４は側面図、図５は表示部を略９０度回動させて上方に向けた状態を示す斜視図、図６は表示部を後方へ飛び出した状態を示す斜視図、図７はヒンジ部を示す斜視図、図８は表示部を構成する平面パネルの表示面を上方に向けた側面図、図９は平面パネルの表示面を下方に向けた側面図である。
【００１８】
図１０は撮像装置に本発明の第１の実施の例に係るレンズフードを取り付けた状態を示す斜視図、図１１は平面図、図１２は側面図、図１３はレンズフードを示す斜視図、図１４は花びらフード環を裏返し取り付けた斜視図、図１５Ａはレンズフードの側面図、図１５Ｂは図１５ＡのＴ−Ｔ線断面図、図１６はレンズフードの分解斜視図、図１７は花びらフード環を軸方向に断面した説明図、図１８Ａはアタッチメントリングを軸方向に断面した説明図、図１８Ｂはアタッチメントリングの要部を拡大して示す説明図、図１９Ａは固定リングを示す正面図、図１９Ｂは固定リングの側面図、図２０は図１９ＢのＳ−Ｓ線断面図、図２１Ａは花びらフード環の内周面を示す説明図、図２１Ｂは固定リングの外周面を１８０度反転させて示す説明図、図２１Ｃは固定リングの内周面を示す説明図、図２１Ｄはアタッチメントリングの外周面を示す説明図、図２２Ａは図１５ＢのＱ部分について花びらフード環を除いて拡大して示す断面図、図２２Ｂは図１５ＢのＲ部分を拡大して示す断面図、図２３は図１５ＢのＵ−Ｕ線断面図、図２４Ａは花びらフード環の装着前の状態を示す斜視図、図２４Ｂは花びらフード環を裏返して装着する前の状態を示す斜視図である。
【００１９】
図２５から図２８は撮像装置に本発明の第１の実施の例に係るレンズフードを装着する状態を説明するもので、図２５はレンズフードの装着前の状態を示す斜視図、図２６は固定リングとレンズ装置の位置合わせを説明する説明図、図２７は花びらフード環を装着する状態を示す説明図、図２８は花びらフード環を裏返して装着する状態を示す説明図である。
【００２０】
まず、本発明の撮像装置の第１の実施の例について、図１〜図９を参照して説明する。図１〜図４に示す装置は、撮像装置の第１の実施の例として適用したデジタルスチルカメラ１である。このデジタルスチルカメラ１は、情報記録媒体として半導体記録メディアを使用している。そして、デジタルスチルカメラ１は、被写体からの光学的な画像を撮像素子（ＣＣＤやＣＭＯＳ等）２で電気的な信号に変換することができるようになっている。このデジタルスチルカメラ１によれば、被写体からの像光を撮像素子で受光し、その像を半導体記録メディアに記録したり、液晶ディスプレイ等の表示装置に表示することができる。
【００２１】
このデジタルスチルカメラ１は、被写体の像光が入射される撮像素子２と、この撮像素子２が取り付けられる外装ケース３と、この外装ケース３の上部に設けられたファインダ部４と、撮像素子２に入射された被写体の像を表示可能な表示部５と、この表示部５を姿勢変更可能に支持するヒンジ部６と、レンズ装置７等を備えて構成されている。
【００２２】
外装ケース３は、中空の筐体として構成されている。外装ケース３の内部空間には、図示しないが、各種の電子部品が実装された配線基板とバッテリ電源と記憶装置とその他各種の電子部品や機械部品、装置等が収納されている。外装ケース３の前面である第１の主面の左側部には、レンズ系の撮像レンズ７ａを前面に露出させた状態でレンズ装置７が設けられている。レンズ装置７は、複数のレンズ部品の組み合わせによって構成されている。外装ケース３の内部において、レンズ装置７の後方には、撮像素子２が取り付けられている。撮像素子２は、入射される被写体の像光を電気的な信号に変換し、デジタル信号として出力することができる。このデジタル信号によって出力される映像信号により、被写体に関する情報が、表示部５によって被写体の像として表示され、或いは内蔵された記憶装置若しくは外付けの外部記憶装置等に記憶される。
【００２３】
図２に示すように、外装ケース３の前面の右側部には、この外装ケース３を把持するための把持部３ａが設けられている。把持部３ａは、その全体が前側に突出されていて、片手で握り易い形状とされている。この把持部３ａの上面には、被写体を撮影するためのシャッタボタン８が配置されている。シャッタボタン８の後方で外装ケース３の上面には、モード選択ダイヤル９が配置されている。モード選択ダイヤル９は、リング状に形成されており、回動自在に取り付けられている。モード選択ダイヤル９は、デジタルスチルカメラ１に付与された多数のカメラ機能の中から所望のモードを選択する回転スイッチである。このモード選択ダイヤル９で選択される機能としては、例えば、静止画を撮影するモード、動画を撮影するモード等を挙げることができる。
【００２４】
モード選択ダイヤル９の左側で外装ケース３の上面には、電源をオン・オフさせる電源ボタン１１とマイクロホン用孔１２が設けられている。マイクロホン用孔１２の内側には、図に表れないマイクロホンが内蔵されており、音声を記録できるようになっている。
【００２５】
外装ケース３の右側面部の上部には、ＵＳＢコネクタ等が接続される外部出力端子部１３が設けられている。外装ケース３の左側面部には、暗い場所での撮影を可能にするナイトショットの切換スイッチ１４が配置されている。外装ケースの両側面部には、図示しないショルダーストラップを取り付けるためのストラップ取付部１６が設けられている。ショルダーストラップは、ユーザーの肩からこのデジタルスチルカメラ１を下げて持ち運びできるようにするものである。
【００２６】
外装ケース３の上部には、フラッシュ格納部１７とファインダ部４が設けられている。フラッシュ格納部１７は、把持部３ａと反対側に設けられている。このフラッシュ格納部１７には、図示しないフラッシュ装置が昇降動作可能に収納されている。そして、フラッシュ格納部１７の後方には、ファインダ部４が外装ケース３の後方へ突出するように設けられている。
【００２７】
ファインダ部４は、いわゆる電子ビューファインダである。ファインダ部４は、ユーザーが目を接近させる接眼部４ａと、その接眼部４ａの内側に設けられた開口窓４ｂと、その開口窓４ｂの後方に配置された図示しない表示体等を備えて構成されている。接眼部４ａは、外装ケース３の背面である第２の主面から後方へ突出されている。接眼部４ａに開口窓４ｂが開口されており、その開口窓４ｂに表示体が臨んでいる。この表示体に、撮像素子２から出力された映像信号に基づいて被写体の像が表示される。これにより、表示体に映し出された被写体の像をユーザーが視認できるようになっている。
【００２８】
尚、本実施の例では、ファインダ部４を電子ビューファインダとして説明したが、これに限定されるものではなく、ユーザーが目を近接させて撮像素子２に入射された被写体の像を視認できるものであればよい。例えば、ファインダ部は、撮像素子２に入射される被写体からの像光をペンタプリズム等によって屈折させ、或いはハーフミラーによって反射させて投影させる光学式ビューファインダであってもよい。また、撮像素子２に入射される被写体からの像光を途中で分光してレンズ装置７の後方に配置された撮像素子２とは別の、ファインダ用の撮像素子に映し出す形式の撮像装置であってもよい。
【００２９】
図３に示すように、外装ケース３の背面には、各種の操作スイッチが設けられている。外装ケース３の背面の上部には、ズーム操作を実行するズームボタン２１と、画面表示を行う画面表示ボタン２２が配置されている。ズームボタン２１の下方には、各種メニューを選択するメニューボタン２３と、メニューを選択するカーソル等を移動させる方向キー２４と、画面サイズの切り換えや画面削除を行う画面ボタン２５等が適当な位置に配置されている。
【００３０】
図４に示すように、外装ケース３の背面におけるファインダ部４の下方には、後述するヒンジ部６の一部を構成するアーム部材３６を収納するアーム片収納部２６が設けられている。このアーム片収納部２６は、アーム部材３６の第２のアーム片３６ｂを収納することができるように所定の深さで略長方形状に凹んだ凹部として形成されている。
【００３１】
更に、外装ケース３の背面には、このアーム片収納部２６を含む背面の大部分を覆うように表示部５が配置されている。表示部５は、薄くて略直方体をなす板状体からなり、平板状の液晶ディスプレイ等からなる平面パネル５ａと、この平面パネル５ａが収納された薄くて略直方体をなすパネルケース５ｂ等を備えて構成されている。
【００３２】
図５及び図６に示すように、パネルケース５ｂの背面側の下部は、一部が切り欠かれており、この切り欠き５ｄには、図に現れない係合爪が設けられている。この係合爪は、ヒンジ部６がアーム片収納部２６に収納された状態において、外装ケース３における背面の下端に設けられた係合凸部４２に係合される。このパネルケース５ｂには、平面パネル５ａを露出させるための四角形の開口部５ｃが設けられている。この開口部５ｃの内側には、平面パネル５ａと、そのバックライトが収納されている。平面パネル５ａは、開口部５ｃに対応した大きさを有している。そして、この平面パネル５ａは、撮像素子２から出力される映像信号に基づき、バックライトの光の照射を受けて画像を表示する。
【００３３】
図４に示すように、表示部５は、アーム部材３６がアーム片収納部２６に収納された状態において、表示部５の平面パネル５ａとファインダ部４の接眼部４ａが略同一平面となるように構成されている。そのため、ユーザーが目をファインダ部４ｂの接眼部４ａに近接して被写体の像を視認する際にも、その妨げになることなく接眼部４ａに目を近づけることができる。これにより、表示部５の大型化を招くことなく、デジタルスチルカメラ１全体の小型化を図ることが可能となる。
【００３４】
この表示部５は、ヒンジ部６によって姿勢変更可能に支持されている。ヒンジ部６は、外装ケース３の背面の上部においてファインダ部４の下方に配置されている。図７等に示すように、ヒンジ部６は外装ケース３に取り付けられた第１のヒンジ体３１と、表示部５に取り付けられた第２のヒンジ体３２と、第１のヒンジ体３１と第２のヒンジ体３２を回動可能に連結するアーム部材３６等を備えて構成されている。
【００３５】
第１のヒンジ体３１は、所定の間隔を開けて略平行をなして対向するように設けられた一対の第１の軸受片３１ａ，３１ａと、この２つの第１の軸受片３１ａ，３１ａの上端間を連結する接続片３１ｂと、一対の第１の軸受片３１ａ，３１ａのそれぞれ長手方向の両端に連続して略垂直に折り曲げ形成された固定片３１ｄ，３１ｄを有している。
【００３６】
一対の第１の軸受片３１ａ，３１ａの、その長手方向の固定片３１ｄと反対側の他端は略半円状をなしており、それぞれストッパ片３１ｃ，３１ｃが設けられている。各ストッパ片３１ｃは、第１の軸受片３１ａの外周の所定の位置から略垂直をなして連続して折り曲げられて形成されている。この２つの第１の軸受片３１ａ，３１ａにおける長手方向の先端側に、本体側ヒンジ軸３３が回動可能に挿通される軸受穴が設けられている。また、第１のヒンジ体３１の各固定片３１ｄには、この第１のヒンジ体３１を外装ケース３に固定するための締結穴３１ｅが設けられている。
【００３７】
第２のヒンジ体３２は、略長方形をなす板体として構成され、平面パネル５ａと同様の大きさを有している。第２のヒンジ体３２は、平面パネル５ａの背面においてパネルケース５ｂに固定される。第２のヒンジ体３２は、略長方形をなす平面部３２ａと、その平面部３２ａの周囲の４辺に当該平面部３２ａと略垂直をなすように連続された４つの側壁部３２ｂ，３２ｂ，３２ｂ，３２ｂと、を有している。第２のヒンジ体３２の平面部３２ａには、一対の第２の軸受片３５，３５と、パネルケース５ｂに固定するための複数の固定部３２ｃが設けられている。
【００３８】
この第２のヒンジ体３２は、ヒンジ機構の一方のヒンジ部を構成していると共に、表示部５の支持フレームとしての役割も果たしている。このように、第２のヒンジ体３２と支持フレームを一体化させ、第２のヒンジ体３２で支持フレームの機能を果たすことにより、表示部５の剛性を上げることができ、一体化により部品点数を削減して、コストダウンを図ることができる。
【００３９】
また、一対の第２の軸受片３５，３５は、外装ケース３の背面に対するファインダ部４の偏移量に対応して平面部３２ａの略中央から一側へ偏移した位置に配置されている。一対の第２の軸受片３５，３５は、所定の間隔を開けて平面部３２ａから略垂直をなすように立設されている。各第２の軸受片３５には、表示部側ヒンジ軸３９，３９が回動可能に挿通される軸受穴３５ａがそれぞれ設けられている。また、固定部３２ｃは、この実施例では、平面部３２ａの一部を切り起こすことによって所定位置の３箇所に設けられている。
【００４０】
この第１のヒンジ体３１と第２のヒンジ体３２との間に、アーム部材３６が姿勢変更可能に取り付けられている。アーム部材３６は、第１の方向に突出した第１のアーム片３６ａと、第１の方向と略９０度をなす方向へ突出した第２のアーム片３６ｂとによって略Ｌ字型をなしている。この第１のアーム片３６ａ及び第２のアーム片３６ｂは、この実施例では、幅方向へ適当な間隔をあけて対向するように設けた２つの対向片をそれぞれ有している。更に、第２のアーム片３６ｂは、第１のアーム片３６ａが突出する側と反対側において連結片３６ｃにより連結されて一体に構成されている。
【００４１】
一対の第１のアーム片３６ａ，３６ａの各先端部は略半円形をなしており、その半円形の略中心に第１の嵌入穴が設けられている。一対の第２のアーム片３６ｂ，３６ｂの各先端部も略半円形をなしており、その半円形の略中心に第２の嵌入穴が設けられている。アーム部材３６の組立時、一対の第１のアーム片３６ａ，３６ａは第１のヒンジ体３１の一対の第１の軸受片３１ａ，３１ａ間に介在され、一対の第２のアーム片３６ｂ，３６ｂは第２のヒンジ体３２の一対の第２の軸受片３５，３５間に介在される。このとき、一対の第１のアーム片３６ａ，３６ａに設けた一対の第１の嵌入穴は、一対の第１の軸受片３１ａ，３１ａに設けた軸受穴にそれぞれ対向される。そして、一対の第２のアーム片３６ｂ，３６ｂに設けた一対の第２の嵌入穴は、一対の第２の軸受片３５，３５に設けた軸受穴にそれぞれ対向される。
【００４２】
このように対向設置された第１の嵌入穴と第１の軸受穴には、一対の本体側ヒンジ軸３３，３３がそれぞれ回動自在に挿入される。また、同じく対向設置された第２の嵌入穴と第２の軸受穴には、一対の表示部側ヒンジ軸３９，３９がそれぞれ回動自在に挿入される。なお、アーム部材３６の第１のアーム片３６ａは、第１のヒンジ体３１の第１の軸受片３１ａと略同じ長さに設定されており、これらの長さ、即ち、第２のアーム片３６ｂから側方へ突出する第１のアーム片３６ａの突出量が、表示部５の厚さとされている。従って、第１のアーム片３６ａの高さと同程度の高さのうちに、表示部５が収められるようになっている。
【００４３】
なお、この実施例では、外装ケース３に固定された第１のヒンジ体３１の高さと、外装ケース３と一体に設けられたファインダ部４における接眼部４ａの背面と、ヒンジ部６の第２のアーム片３６ｂをアーム片収納部２６に収納した状態における当該表示部５の背面とが略同じ高さに設定されている。これにより、本実施例では、図４及び図１２に示すように、第２のアーム片３６ｂをアーム片収納部２６に収納した状態において、ファインダ部４の接眼部４ａの背面と表示部５の背面とが略同一平面となるように構成されている。
【００４４】
一対の本体側ヒンジ軸３３，３３は、同一の形状及び大きさを有する同一のものであり、断面円形の軸部と、その軸部の軸方向の一端に設けたフランジ部を有している。この本体側ヒンジ軸３３の軸部の先端には、二面を平行に切り欠くことによって二面幅部が設けられている。この本体側ヒンジ軸３３の軸部が、第１の軸受片３１ａの第１の嵌入穴と第１のアーム片３６ａの第１の軸受穴とに共通に挿通されている。この一対の本体側ヒンジ軸３３，３３を介して第１のヒンジ体３１（一対の第１の軸受片３１ａ，３１ａ）とアーム部材３６（一対の第１のアーム片３６ａ，３６ａ）の一端が回動可能に連結されている。
【００４５】
更に、本体側ヒンジ軸３３の軸部の先端に設けた二面幅部には、ストッパ部材３８が嵌合されてカシメ固定されている。これにより、ストッパ部材３８が本体側ヒンジ軸３３と一体化されている。本体側ヒンジ軸３３は、第１のアーム片３６ａに溶接等の固着手段によって固定されている。これにより、一対の本体側ヒンジ軸３３，３３を介して一対の第１のアーム片３６ａ，３６ａが一対の第１の軸受片３１ａ，３１ａに対して相対的に回動可能とされている。
【００４６】
そして、各本体側ヒンジ軸３３の軸部には、皿ばね３７がそれぞれ装着されている。各皿ばね３７は、それぞれ第１の軸受片３１ａと第１のアーム片３６ａとの間に介在されている。この皿ばね３７のばね力によって第１の軸受片３１ａと第１のアーム片３６ａとの間に適当な大きさの摩擦力を発生させ、第１のヒンジ体３１に対してアーム部材３６を任意の姿勢（角度）を保持して固定できるように構成している。そして、上記摩擦力に打ち勝つ大きさの力をアーム部材３６に加えることにより、アーム部材３６を相対的に回動させて、第１のヒンジ体３１に対するアーム部材３６の姿勢を任意の角度に変更することができる。
【００４７】
また、一対の表示部側ヒンジ軸３９，３９は、本体側ヒンジ軸３３と同様の形状及び大きさを有する同様のものであり、断面円形の軸部と、その軸部の軸方向の一端に設けたフランジ部を有している。この表示部側ヒンジ軸３９の軸部が、第２の軸受片３５の第２の嵌入穴３５ａと第２のアーム片３６ｂの第２の軸受穴とに共通に挿通されている。この一対の表示部側ヒンジ軸３９，３９を介して第２のヒンジ体３２（一対の第２の軸受片３５，３５）とアーム部材３６（一対の第２のアーム片３６ｂ，３６ｂ）の他端が回動可能に連結されている。これにより、第２のヒンジ体３２がアーム部材３６に対して１８０度回転変位（旋回運動）可能とされている。
【００４８】
そして、各表示部側ヒンジ軸３９の軸部には、同じく皿ばね３７がそれぞれ装着されている。各皿ばね３７は、それぞれ第２の軸受片３５と第２のアーム片３６ｂとの間に介在されている。この皿ばね３７のばね力によって第２の軸受片３５と第２のアーム片３６ｂとの間に適当な大きさの摩擦力を発生させ、第２のヒンジ体３２に対してアーム部材３６を任意の姿勢（角度）を保持して固定できるように構成している。そして、上記摩擦力に打ち勝つ大きさの力をアーム部材３６に加えることにより、アーム部材３６を相対的に回動させて、第２のヒンジ体３２に対するアーム部材３６の姿勢を任意の角度に変更することができる。
【００４９】
また、各ストッパ部材３８には、第１のヒンジ体３１に対するアーム部材３６の回転変位量（旋回運動量）を規制するための回転角度規制溝３８ｂがそれぞれ設けられている。この回転角度規制溝３８ｂは、第１の軸受穴を中心として円弧状に切り欠かれた円弧状の切欠き部からなっている。この回転角度規制溝３８ｂに、第１の軸受片３１ａに設けたストッパ片３１ｃがそれぞれ係合されている。この回転角度規制溝３８ｂによるストッパ片３１ｃの回動量は、本実施例では略９０度に設定されている。
【００５０】
即ち、アーム部材３６は第１のヒンジ体３１に対して、略９０度回転変位可能に構成されている。そして、アーム部材３６に対して第２のヒンジ体３２は、略１８０度回転変位可能に構成されている。これにより、第２のヒンジ体３２と一体的に設けられた表示部５が、図２及び図４等に示す外装ケース３の背面に近接した表示部収納状態と、その状態からアーム部材３６のみを９０度回動させたアーム部突出状態と、その状態から表示部５を１８０度回動させることが可能な表示部回動状態とを任意に取ることができる。上記ストッパ片３１ｃと回転角度規制溝３８ｂとによって本発明に係る姿勢制御部の一具体例が構成されている。
【００５１】
なお、本実施の例では、一対のストッパ部材３８，３８の双方に回転角度規制溝３８ｂ，３８ｂを設け、一対の第１の軸受片３１ａ，３１ａの両方にストッパ片３１ｃ，３１ｃを設けてストッパ機構を２組構成した例について説明したが、これに限定されるものではない。例えば、一対の第１の軸受片３１ａ，３１ａのうち一方にストッパ片３１ｃを設け、他方の第１の軸受片３１ａには設けなくてもよい。この場合、一対のストッパ部材３８，３８のうち、ストッパ片３１ｃを設けた第１の軸受片３１ａに対応するストッパ部材３８にのみ回転角度規制溝３８ｂを設けるようにする。
【００５２】
図４等に示すように、ヒンジ部６は、第１のヒンジ体３１をねじ止め等の固着手段を用いて固定することにより外装ケース３に取り付けられる。このヒンジ部６の取付けは、ファインダ部４の下側のデッドスペースを生かし、ファインダ部４の真下の互いに接触する直前の位置に第１のヒンジ体３１を固定することによって行う。このように、ヒンジ部６の第１のヒンジ体３１を、ファインダ部４の下方のデッドスペースに配置することにより、外装ケース３の背面のスペースを無駄なく利用することができる。しかも、大きな表示部５を設けることができ、より大きくて見易い表示装置を構成することができる。
【００５３】
このような構成を有するヒンジ部６は、例えば、次のようにして組み立てることができる。まず、一対の本体側ヒンジ軸３３，３３を用いて第１のヒンジ体３１とアーム部材３６を回動自在に連結し、次いで、一対の表示部側ヒンジ軸３９，３９を用いて第２のヒンジ体３２とアーム部材３６を回動自在に連結する。この組立順序は逆であってもよい。まず、第１のヒンジ体３１の一対の第１の軸受片３１ａ，３１ａの間にアーム部材３６の一対の第１のアーム片３６ａ，３６ａを介在させ、第１の軸受穴と第１の嵌合穴をそれぞれ一致させる。このとき、第１の軸受片３１ａと第１のアーム片３６ａとの間に皿ばね３７を介在させる。
【００５４】
次に、一対の第１のアーム片３６ａ，３６ａの内側から、第１の軸受穴と第１の嵌合穴に本体側ヒンジ軸３３の軸部を貫通させる。そして、各軸部の突出部にストッパ部材３８を嵌合した後、軸部の先端をカシメ止めする。これにより、本体側ヒンジ軸３３と皿ばね３７を介して第１のヒンジ体３１とアーム部材３６の一端が回動自在に連結される。
【００５５】
次に、第２のヒンジ体３２の一対の第２の軸受片３５，３５の間にアーム部材３６の一対の第２のアーム片３６ｂ，３６ｂを介在させ、第２の軸受穴と第２の嵌合穴をそれぞれ一致させる。このとき、第２の軸受片３５と第２のアーム片３６ｂとの間に皿ばね３７を介在させる。次いで、一対の第２のアーム片３６ｂ，３６ｂの内側から、第２の軸受穴と第２の嵌合穴に表示部側ヒンジ軸３９の軸部を貫通させる。そして、各軸部の先端をカシメ止めする。これにより、表示部側ヒンジ軸３９と皿ばね３７を介して第２のヒンジ体３２とアーム部材３６の他端が回動自在に連結される。これにより、ヒンジ部６の組み立てが完了する。
【００５６】
このように組み立てられたヒンジ部６が、外装ケース３の背面におけるファインダ部４のすぐ下に、取り付けられている。この場合、ヒンジ部６は、第１のヒンジ体３１の一対の固定片３１ｄ，３１ｄに設けた締結穴３１ｅ，３１ｅを用いてネジ止め等することにより、外装ケース３の背面に固定される。このとき、ヒンジ部６の第２のアーム片３６ｂがアーム片収納部２６に収納される。この状態では、図１〜図４に示すように、表示部５の背面が外装ケース３の背面に接することになり、表示部５の表示面が後方へ向いている。そして、表示部５の表示面がファインダ部４の接眼部４ａの面と略同一平面上に配置されている。
【００５７】
このヒンジ部６によって支持された表示部５を備えたデジタルスチルカメラ１では、ファインダ部４を覗いてその表示面に写った被写体の像を見て撮影する一般的なファインダ撮影と、表示部５の平面パネル５ａに写った被写体の画像を見て撮影を行うパネル撮影のどちらも自由に選択して撮影することができる。
【００５８】
このとき、ファインダ撮影の場合には、ユーザーが外装ケース３を両手で持った状態でファインダ部４に目を近づけることになり、その状態で接眼部４ａに目を近接させると、自然に両腕が脇に押し付けられるようになり、いわゆる脇が締まった状態になる。そのため、デジタルスチルカメラ１をしっかりと保持することが可能となり、いわゆるカメラぶれの発生を防止し又は効果的に抑制することが可能となる。また、パネル撮影の場合には、平面パネル５ａに写った大きな被写体の画像を見て撮影を行うことができるため、被写体を大きな画面で見ることができ、被写体の認識が容易であって細部に亘る確認等も行うことができる。
【００５９】
次に、デジタルスチルカメラ１における表示部５の姿勢変更について説明する。この姿勢変更は、まず、アーム部材３６を上方へ９０度回動させ、表示部５の平面パネル５ａの表示面を上方へ向けるように姿勢変更することができる。この姿勢変更状態を、図５及び図８に示している。この姿勢は、ヒンジ部６の第１のヒンジ体３１とアーム部材３６の一端とを本体側ヒンジ軸３３で連結している第１の回動部を回動中心として、表示部５を上方へ９０度引き上げることによって実行される。このとき、アーム部材３６が略９０度回動すると、本体側ヒンジ軸３３と一体のストッパ部材３８が同様に回動し、このストッパ部材３８に設けた回転角度規制溝３８ｂの一端が第１のヒンジ体３１の第１の軸受片３１ａに設けたストッパ片３１ｃに当接される。これにより、アーム部材３６の上方への回動が制限され、皿ばね３７のばね力によって表示部５が略水平状態に保持される。
【００６０】
この場合、図５及び図８に示すように、表示部５の表示面である平面パネル５ａは上方を向いている。このとき、アーム部材３６がＬ字型に形成されており、そのアーム部材３６の第２のアーム片３６ｂの上に載置されている表示部５の平面パネル５ａがファインダ部４の接眼部４ａより先に位置することになる。そのため、平面パネル５ａの表示面がファインダ部４によって遮られることがなく、その全面を上方から観察することができる。このような姿勢はローアングル撮影に好適であり、例えば、子供の目線に合わせた撮影等が可能である。
【００６１】
次に、図８に示す状態から表示部５を、逆方向へ戻すように略９０度回動させることにより、図６に示すような姿勢を取ることができる。この姿勢は、ヒンジ部６の第２のヒンジ体３２とアーム部材３６の他端とを表示部側ヒンジ軸３９で連結している第２の回動部を回動中心として、表示部５を後方へ９０度回動させることによって実行される。このとき、表示部５を略９０度回動させると、皿ばね３７のばね力によって平面パネル５ａが略垂直状態に保持される。この場合には、デジタルスチルカメラ１を身体からある程度離反させた状態において、ファインダ部を覗くように平面パネル５ａを見ながらの撮影を行うことができる。
【００６２】
次に、更に表示部５を、同方向へ略９０度回動させることにより、図９に示すような姿勢を取ることができる。この姿勢は、第２の回動部を回動中心として、表示部５を更に下方へ９０度回動させることによって実行される。このとき、表示部５を略９０度回動させると、皿ばね３７のばね力によって平面パネル５ａが下向きで略水平状態に保持される。この場合には、デジタルスチルカメラ１を上方へ掲げ、平面パネル５ａを下から覗き込むようにして観察することができる。このような姿勢はハイアングル撮影に好適であり、例えば、小学校の運動会において、周囲の観客の頭越しにわが子を撮影するような場合に便利である。
【００６３】
このようにして表示部５の姿勢変更が行われるが、その姿勢変更のための回動中心となるヒンジ部６を外装ケース３のファインダ部４のすぐ下に配置する構成としたため、次のような効果を奏することができる。即ち、外装ケース３のファインダ部４のすぐ下にあるデッドスペースにヒンジ部６を配置することにより、平面パネルの表示面を可及的に大きくしながら、表示部５の姿勢変更を可能とすることができる。しかも、ヒンジ部６を外装ケース３のメインフレームに固定することができ、これにより、表示部５の支持構造の剛性アップと、部品点数の削減によるコストダウンを図ることができる。
【００６４】
また、外装ケース３の表面から外側へ突出するファインダ部４のような突起部よりも内側に表示部５を収納することができる。そのため、外装ケース３の最外形ラインが大きくなるのを抑制することができる。更に、ユーザーの目をファインダ部４の接眼部４ａに近接して撮影を行うときに、表示部５及びヒンジ部６が、撮影の妨げになることがない。しかも、ファインダ部を使用したファインダ撮影と、平面パネルを使用したパネル撮影とを任意に選択して用いることができ、撮影形態の自由度を増すことができる。
【００６５】
次に、本発明のレンズフードの第１の実施の例について、図１０〜図２８を参照して説明する。図１０〜図１２は、前述した撮像装置の第１の実施の例として適用したデジタルスチルカメラ１に、本発明の第１の実施の例に係るレンズフード１００を取り付けた状態を示している。レンズフード１００は、デジタルスチルカメラ１のレンズ装置７の先端部に着脱可能に取り付けられている。
【００６６】
図１３〜図１５等に示すように、レンズフード１００は、被写体に近い先端側が花びら形状を有する円筒形をなしていて、レンズ装置７に近い基端部側が円錐台形をなしている。即ち、このレンズフード１００は、被写体側となる一端に花びら形状を有する花びらフード環１０１と、レンズ装置７に固定されるアタッチメントリング１０３と、アタッチメントリング１０３に着脱可能に装着される花びらフード環１０１を当該アタッチメントリング１０３に対して締付固定する固定リング１０２とを備えて構成されている。
【００６７】
図１５〜図１７及び図２１Ａに示すように、本発明の第１のフード環の一具体例を示す花びらフード環１０１は、先端部に花びら部片１１１を有する円筒形状をなしている。花びら部片１１１は、円筒体の一方の端面部において、周方向の４箇所に円弧状の切欠きを設けることによって形成されている。４箇所の円弧状の切欠きは、撮像素子の受光面の形状が横長の長方形であることに対応させて、周方向へ少し変位した位置に形成されている。これにより、直径方向の一方に対向する２つの片が一対の第１の花びら部片１１１ａ，１１１ａを構成し、これと直交する方向に対向する２つの片が一対の第２の花びら部片１１１ｂ，１１１ｂを構成している。即ち、一対の第１の花びら部片１１１ａ，１１１ａは、一対の第２の花びら部片１１１ｂ，１１１ｂよりも大きな円弧状の突起部として形成されている。このレンズフード１００は、その使用時には、通常、花びらの大きな一対の第１の花びら部片１１１ａ，１１１ａを上下方向に向けてレンズ装置７に取り付けられる。
【００６８】
図２１Ａに示すように、花びらフード環１０１の先端部の反対側に位置する基端部の内周面には、第１のバヨネット部１１２と、第２のバヨネット部１１７と、第１凸条部１１５と、第２凸条部１１６が設けられている。第１のバヨネット部１１２と第２のバヨネット部１１７は、後述する第１凸条部１１５と第２凸条部１１６との間にある中心点Ｏを中心として点対象をなすように形成されている。
【００６９】
第１のバヨネット部１１２は、基端部の端面に設けられている。この実施例においては、この第１のバヨネット部１１２は、花びらフード環１０１の内周面において、その周方向に沿って等角度間隔に設けた３つの第１バヨネット爪１１２ａ、第２バヨネット爪１１２ｂ及び第３バヨネット爪１１２ｃを有している。第１バヨネット爪１１２ａの周方向の長さは、第２バヨネット爪１１２ｂ及び第３バヨネット爪１１２ｃよりも長く設定されている。そして、第２バヨネット爪１１２ｂの周方向の長さは、第３バヨネット爪１１２ｃよりも長く設定されている。
【００７０】
３つのバヨネット爪１１２ａ，１１２ｂ，１１２ｃは、周方向の一端に略半球面状のフック部１１３をそれぞれ有している。第１バヨネット爪１１２ａ及び第２バヨネット爪１１２ｂは、周方向の他端にストッパ片１１４をそれぞれ有している。ストッパ片１１４，１１４は、第１及び第２バヨネット爪１１２ａ，１１２ｂの他端から軸方向先端側に向けて延在され、第１凸条部１１５にそれぞれ連続されている。
【００７１】
また、第１バヨネット爪１１２ａと第３バヨネット爪１１２ｃとの間には、第１開口部１２２ａが設けられている。同様に、第１バヨネット爪１１２ａと第２バヨネット爪１１２ｂとの間には、第２開口部１２２ｂが設けられ、第２バヨネット爪１１２ｂと第３バヨネット爪１１２ｃとの間には、第３開口部１２２ｃが設けられている。第３開口部１１２ｃの周方向の長さは、第１及び第２開口部１２２ａ，１２２ｂよりも長く設定されている。第１開口部１２２ａの周方向の長さは、第２開口部１２２ｂよりも長く設定されている。
【００７２】
また、第１のバヨネット部１１２から先端部側に向けて所定の間隔を開けて第２バヨネット部１１７が設けられている。第２のバヨネット部１１７は、第１のバヨネット部１１２と同様に、方向に沿って等角度間隔に設けた３つの第１バヨネット爪１１７ａ、第２バヨネット爪１１７ｂ及び第３バヨネット爪１１７ｃを有している。第１バヨネット爪１１７ａの周方向の長さは、第２バヨネット爪１１７ｂ及び第３バヨネット爪１１７ｃよりも長く設定されている。そして、第２バヨネット爪１１７ｂの周方向の長さは、第３バヨネット爪１１７ｃよりも長く設定されている。
【００７３】
３つのバヨネット爪１１７ａ，１１７ｂ，１１７ｃは、第１のバヨネット部１１２に設けたフック部１１３とは反対側の一端に略半球面状のフック部１１３をそれぞれ有している。第１バヨネット爪１１７ａ及び第２バヨネット爪１１７ｂは、周方向の他端にストッパ片１１８をそれぞれ有している。ストッパ片１１８，１１８は、第１及び第２バヨネット爪１１７ａ，１１７ｂの他端から軸方向基端側に向けて延在され、第１凸条部１１６にそれぞれ連続されている。
【００７４】
また、第１バヨネット爪１１７ａと第３バヨネット爪１１７ｃとの間には、第１開口部１２３ａが設けられている。同様に、第１バヨネット爪１１７ａと第２バヨネット爪１１７ｂとの間には、第２開口部１２３ｂが設けられ、第２バヨネット爪１１７ｂと第３バヨネット爪１１７ｃとの間には、第３開口部１２３ｃが設けられている。第３開口部１１７ｃの周方向の長さは、第１及び第２開口部１２３ａ，１２３ｂよりも長く設定されている。第１開口部１２３ａの周方向の長さは、第２開口部１２３ｂよりも長く設定されている。
【００７５】
また、第１のバヨネット部１１２と第２のバヨネット部１１７の間には、等間隔に第１凸条部１１５と第２凸条部１１６が、配置されている。第１凸条部１１５は、第１のバヨネット部１１２側に配置され、第２凸条部１１６は、第２バヨネット部１１７側に配置されている。
【００７６】
第１凸条部１１５は、花びらフード環１０１の内周面において、その周方向に連続して設けられたリング状の突条である。この第１凸条部１１５は、等角度間隔に３つの突起片１１９，１１９，１１９を有している。この３つの突起片１１９，１１９，１１９は、第１凸条部１１５から、連続して第２凸条部１１６の方向に突出して形成されている。第２凸条部１１６は、第１凸条部１１５と同様に、花びらフード環１０１の内周面において、その周方向に連続して設けられたリング状の突条である。この第２凸条部１１６は、等角度間隔に３つの突起片１２０，１２０，１２０を有している。この３つの突起片１２０，１２０，１２０は、第１凸条部１１６から、連続して第１凸条部１１５の方向に突出して形成されている。第１凸条部１１５の突起片１１９，１１９，１１９と第２凸条部１１６の突起片１２０，１２０，１２０は、千鳥状に互い違いに配置されて周方向に６０度の角度変位が設定されている。
【００７７】
図１５Ａ及び図１６等に示すように、この花びらフード環１０１における基端部の外周面には、例えば凸部からなる、フード側目印１２１が設けられている。フード側目印１２１は、花びらフード環１０１の取り付け角度位置を合わせるための標識である。このフード側目印１２１は、後述するリング側目印１３２とレンズ側目印４１に位置を合わせて花びらフード環１０１を固定リング１０２にバヨネット結合させることにより、花びら部片１１１が所定（正規）の角度位置（第１の花びら部片１１１ａ，１１１ａが上下方向、第２の花びら部片１１１ｂ，１１１ｂが左右方向）に配置されるような箇所に設けられている。そのため、このフード側目印１２１の配置される箇所は、バヨネット部１１２，１１７の爪の数及び後述するバヨネット受部１２８の数、バヨネット係合の際の花びらフード環１０１の回転角度、レンズ側目印４１の箇所に応じて決定される。
【００７８】
図１５，図１６，図１８及び図２１Ｄ等に示すように、本発明の第２のフード環の一具体例を示すアタッチメントリング１０３は、この実施例においては、先端部が円筒形をなしていて、基端部側が円錐台形をなしている。アタッチメントリング１０３は、円錐台形部の小径側に設けたネジ部１０３ａと、そのネジ部１０３ａの内側に設けた環状リブ部１０３ｂと、円筒形部のネジ部１０３ａと反対側に設けたフランジ部１０３ｃ等を有している。本発明の取り付け部の一具体例を示すネジ部１０３ａは、アタッチメントリング１０３をデジタルスチルカメラ１のレンズ装置７に取り付けるためのもので、そのレンズ装置の先端部に設けたネジ部に対して着脱可能に連結される。なお、本実施の例では、取り付け部にネジ部を適用した例を説明したが、これに限定されるものではなく、例えばバヨネット機構などその他の取り付け機構を用いてもよいことは勿論である。
【００７９】
アタッチメントリング１０３の基端部の内周面に設けた２つの環状リブ部１０３ｂ，１０３ｂには、図示しないレンズキャップが着脱可能に取り付けられる。この環状リブ部１０３ｂにより、アタッチメントリング１０３をレンズ装置に装着した状態においても、レンズキャップを取り付けることができるようになっている。また、図１８Ｂ等に示すように、アタッチメントリング１０３の先端部側に設けたフランジ部１０３ｃは、その半径方向の外側に向けて鍔状に張り出すように形成されている。
【００８０】
更に、アタッチメントリング１０３の先端部の外周面には、本発明の係合受部の一具体例を示す歯形リング部１２６と、本発明の環状溝の一具体例を示す第１の溝１２５と、第２の溝１２７が設けられている。歯形リング部１２６は、フランジ部１０３ｃから基端部側に向けて所定の間隔をあけて配置されている。この歯形リング部１２６は、アタッチメントリング１０３の外周面において、その周方向に一定の間隔を持って連続して設けられている。この実施例においては、歯形リング部１２６は、平目状ローレットとして形成されている。なお、この実施例では、係合受部を平目状ローレットとして形成した例を説明したが、これに限定されるものではなく、例えば複数の凸部を周方向に配置して形成してもよい。
【００８１】
アタッチメントリング１０３の歯形リング部１２６とフランジ部１０３ｃの間には、第１の溝１２５が設けられている。第１の溝１２５は、アタッチメントリング１０３の外周面において、その周方向に連続して凹んだ凹部である。この第１の溝１２５の両角部は、周方向に連続して面取りがされている。また、歯形リング部１２６から端部側に向けて所定の間隔をあけて第２の溝１２７が設けられている。第２の溝１２７は、アタッチメントリング１０３の外周面において、その周方向に連続して凹んだ凹部である。この第２の溝１２７の底部の幅は、第１の溝１２５の底部の幅よりも長く設定されている。
【００８２】
図１５Ｂ，図１６，図１９，図２０，図２１Ｂ及び図２１ｃに示すように、固定リング１０２は、リング状をなして構成されている。固定リング１０２は、位置合わせ部１０２ａと本発明の円筒部の一具体例を示す締結部１０２ｂと、段差面部１０２ｃ等から構成されている。位置合わせ部１０２ａは、固定リング１０２の先端側に位置されている。この位置合わせ部１０２ａは、先端部が略円錐台形状をなしていて基端部が円筒形をなしている。この位置合わせ部１０２ａの基端側の端部に締結部１０２ｂが連続されており、この締結部１０２ｂと位置合わせ部１０２ａとの間に、半径の異なる二面を連続するリング状の段差面部１０２ｃが形成されている。
【００８３】
図１６及び図１９等に示すように、位置合わせ部１０２ａの外周面には、滑り止め用のローレット部１３１が設けられている。この滑り止め用ローレット部１３１は、その周方向に一定の間隔を持って連続して設けられている。この実施例においては、滑り止め用ローレット部１３１は、平目状ローレットとして形成されている。このローレット部１３１により、固定リング１０２をユーザーが回転させる際の手の滑りを防止又は抑制し、容易に固定リング１０２を回転させることができる。
【００８４】
また、位置合わせ部１０２ａの先端部分及び滑り止め用ローレット部１３１には、リング側目印１３２が設けられている。リング側目印１３２は、この実施例では周方向の同じ角度位置で２箇所に設けており、１つは円形の突起として形成し、もう１つは直線形の突条として形成している。このリング側目印１３２は、花びらフード環１０１の固定リング１０２及びレンズ装置７に対する取り付け位置の角度を合わせるための標識である。
【００８５】
図１９Ａ，図１９Ｂ及び図２１Ｂ等に示すように、締結部１０２ｂは、バヨネット受部１２８と、本発明の係合爪の一具体例を示す第１係合爪１３６と、板ばね部１０２ｄ等を有している。バヨネット受部１２８は、締結部１０２ｂの外周面において、その周方向に沿って等角度間隔に設けた３つの第１バヨネット片１２８ａ、第２バヨネット片１２８ｂ及び第３バヨネット片１２８ｃを有している。第２バヨネット片１２８ｂの周方向の長さは、第１バヨネット片１２８ａ及び第３バヨネット片１２８ｃよりも短く設定されており、花びらフード環１０１の第２開口部１２２ｂ，１２３ｂに対応した長さに設定されている。第１バヨネット片１２８ａの周方向の長さは、第３バヨネット片１２８ｃよりも短く設定されており、花びらフード環１０１の第１開口部１２２ａ，１２３ａに対応した長さに設定されている。第３バヨネット片１２８ｃの周方向の長さは、花びらフード環１０１の第３開口部１２２ｃ，１２３ｃに対応した長さに設定されている。
【００８６】
各バヨネット片１２８ａ，１２８ｂ，１２８ｃは、それぞれ突起１２９を有している。突起１２９は、各バヨネット片１２８ａ，１２８ｂ，１２８ｃから先端部側に向けて延在され、段差面部１０２ｃに連続している。第１バヨネット片１２８ａの突起１２９ａは、第１バヨネット爪１１２ａ，１１７ａのフック部１１３に対応した箇所に配置されている。第２バヨネット片１２８ｂの突起１２９ｂは、第２バヨネット爪１１２ｂ，１１７ｂのフック部１１３に対応した箇所に配置されている。第３バヨネット片１２８ｃの突起１２９ｃは、第３バヨネット爪１１２ｃ，１１７ｃのフック部１１３に対応した箇所に配置されている。
【００８７】
第１係合爪１３６は、第１凸条部１１５の突起片１１９及び第２凸条部１１６の突起片１２０と対応するように、締結部１０２ｂの周方向に沿って等角度間隔に３つ設けられている。この第１係合爪１３６は、その周方向の両端が締結部１０２ｂの端面からバヨネット受部１２８にかけて切り欠くことにより弾性が付与されている。また、第１係合爪１３６は、その内周面に、半径方向内側に向けて突出したフック片を有している。
【００８８】
更に、第１係合爪１３６は、固定リング１０２をアタッチメントリング１０３に取り付けた際に、アタッチメントリング１０３の第１の溝１２５に係合される。この第１係合爪１２６は、図２２に示すように、花びらフード環１０１を装着した際に、当該花びらフード環１０１の第１凸条部１１５の突起片１１９に押圧される。また、花びらフード環１０１を裏返して装着した際には、第２凸条部１１６の突起片１２０に押圧される。その結果、第１係合爪１３６のフック片が更にアタッチメントリング１０３の第１の溝１２５にくい込む。これにより、固定リング１０２とアタッチメントリング１０３の軸方向のガタツキを防止することができる。
【００８９】
板ばね部１０２ｄは、締結部１０２ｂと同一部材として、締結部１０２ｂの周方向に沿って等角度間隔に３つ設けられている。この板ばね部１０２ｄは、段差面１０２ｃ側が切り欠かれており、厚さが他の部分と比較すると薄く形成され、弾性を有している。尚、本実施例においては、この板ばね部１０２ｄを締結部１０２ｂと同一部材として説明したが、ばね等の他の弾性部材を締結部１０２ｂとは別部材として設けてもよい。また、本実施例においては、板ばね部１０２ｄを３箇所設けた例について説明したが、これに限定されるものではなく、２箇所以下或いは４箇所以上設けてもよい。
【００９０】
図２０、図２１Ｂ，図２１Ｃ等に示すように、各板ばね部１０２ｄの略中央には、内周面には突起部１３３が設けられ、外周面には凸片１３４が設けられている。本発明の係合部の一具体例を示す突起部１３３は、断面形状が三角形状の突起として形成している。この３つの突起部１３３，１３３，１３３は、固定リング１０２をアタッチメントリング１０３に取り付けた際に、図２２Ａに示すように、アタッチメントリング１０３の歯形リング部１２６にかみ合う。そして、この３つの突起部１３３，１３３，１３３と歯形リング部１２６によりラチェット形式の回転止め機構を構成している。これにより、固定リング１０２は、アタッチメントリング１０３に対して、任意の角度位置で仮固定される。即ち、ユーザーは、適度なクリック感と抵抗力によって固定リング１０２を回動することができると共に、任意の角度位置に回動変位させ、所望の位置で仮固定することができる。
【００９１】
なお、本実施例では、突起部１３３を断面形状が三角形状の突起として説明したが、これに限定されるものではなく、半球状の突起でもよい。突起部１３３が半球状の突起の場合では、歯形リング部１２６は、円柱状或いは半円球状の複数の凹部をアタッチメントリング１０３の周方向に沿って形成したものであることが好ましい。また、突起部１３３を、窪みとして形成してもよい。ここで、例えば本発明の係合受部の一具体例である歯形リング部１２６の凹部が１００個の場合は、固定リング１０２は、一つの凹部で約３．６度の角度変化を生ずる。
【００９２】
固定リング１０２の凸片１３４は、各板ばね部１０２ｄから外側に突出して設けられている。図２２Ｂに示すように、この凸片１３４は、花びらフード環１０１を取り付けた際に、当該花びらフード環１０１の第１凸条部１１５に押圧される。凸片１３４が第１凸条部１１５に押圧されることにより、板ばね部１０２ｄがたわむ。その結果、板ばね部１０２ｄに設けた突起部１３３が、アタッチメントリング１０３の歯形リング部１２６の溝に押し込まれる。その結果、これ以上固定リング１０２が回動できなくなる。これにより、固定リング１０２の角度位置が本格的に確実に固定される（本固定）。
【００９３】
また、各板ばね部１０２ｄと段差面部１０２ｃの間には、第２係合爪１３７がそれぞれ設けられている。第２係合爪１３７は、その周方向の両端を切り欠くことによって弾性が付与されている。各第２の係合爪１３７は、板ばね１０２ｄ側の一端に半径方向内側に向けて突出したフック片をそれぞれ有している。この第２係合爪１３７のフック片の突出量は、第１係合爪１３６のフック片の突出量よりも大きく設定されている。第２係合爪１３７は、固定リング１０２をアタッチメントリング１０３に取り付けた際に、アタッチメントリング１０３の第２の溝１２７にそのフック片が係合される。これにより、固定リング１０２は、アタッチメントリング１０３に対しての軸方向の動きが制限される。
【００９４】
前述した花びらフード環１０１と固定リング１０２とアタッチメントリング１０３の材質としては、ＰＣ（ポリカーボネート）とＡＢＳ（アクリロニトリル・ブタジエン・スチレン樹脂）の混合物が好適であるが、その他のエンジニアリングプラスチックを用いることができることは勿論である。
【００９５】
このような構成を有するレンズフード１００は、例えば、次のようにしてデジタルスチルカメラ１のレンズ装置７に取り付けることができる。これは、まず、固定リング１０２をアタッチメントリング１０３に取り付け、次に、このアタッチメントリング１０３をレンズ装置に取り付け、その後、花びらフード環１０１をアタッチメントリング１０３に取り付けることにより実行される。ここで、予め、レンズ装置７の先端部の内周面には、図示しないネジ部が形成されており、レンズ装置７の先端の上部には、レンズ側目印４１が設けられている。このレンズ側目印４１は、例えば、シルクスクリーン等で印刷又は刻印することによって形成することができる。
【００９６】
まず、固定リング１０２の締結部１０２ｂをアタッチメントリング１０３の基端側に対向させ、その基端部側から固定リング１０２を挿入する。すると、固定リング１０２の第２の係合爪１３７がアタッチメントリング１０３の円筒部の外側面に当接され、その反力によって第２の係合爪１３７が弾性変形する。更に、固定リング１０２をアタッチメントリング１０３に挿入すると、締結部１０２ｂに設けた３つの第１係合爪１３６，１３６，１３６のフック片がアタッチメントリング１０３の第１の溝１２５の位置まで移動すると共に、３つの第２係合爪１３７，１３７，１３７のフック片が第２の溝１２７まで移動して当該第２の溝１２７に係合される。これにより、図２４Ａ及び図２４Ｂに示すように、アタッチメントリング１０３と固定リング１０２が一体化されたアタッチメントフード組立体が構成される。
【００９７】
次に、図２５に示すように、このアタッチメントフード組立体をデジタルスチルカメラ１のレンズ装置７の先端に固定する。具体的には、アタッチメントリング１０３の基端部に設けたネジ部１０３ａをレンズ装置７の先端のネジ部に位置合わせし、アタッチメントフード組立体を回転させる。これにより、両者のネジ部が螺合して、アタッチメントフード組立体がレンズ装置７に固定されて取り付けられる。
【００９８】
次に、図２６に示すように、固定リング１０２をアタッチメントリング１０３の周方向に回転させて当該固定リング１０２を、周方向の所定角度位置に調整する。具体的には、レンズ装置７の先端の上部に設けたレンズ側目印４１に、固定リング１０２のリング側目印１３２を合わせる。このとき、図２２Ａに示すように、固定リング１０２の３つの突起部１３３がアタッチメントリング１０３の３箇所において歯形リング部１２６に噛み合っている。これにより、ユーザーは、適度なクリック感を受けながら固定リング１０２を回転させることができ、その固定リング１０２を所定位置に位置合わせすることができる。この際、固定リング１０２に設けた滑り止め用ローレット部１３１により、ユーザーは手が滑ることなく容易に固定リング１０２を回転させることができる。
【００９９】
次に、図２７に示すように、レンズ装置７に固定されたアタッチメントフード組立体に、花びらフード環１０１を取り付ける。具体的には、まず、花びらフード環のフード側目印１２１を、固定リング１０２のリング側目印１３２に合わせ、花びらフード環１０１の基端部側をアタッチメントフード組立体に押し込む。
【０１００】
すると、固定リング１０２の第１バヨネット片１２８ａが、花びらフード環１０１の第１開口部１２２ａに入り込む。同様に、固定リング１０２の第２バヨネット片１２８ｂが、花びらフード環１０１の第２開口部１２２ｂに入り込む。更に、固定リング１０２の第３バヨネット片１２８ｃが、花びらフード環１０１の第３開口部１２２ｃに入り込む。このとき、図２１Ａ及び図２１Ｂに示すように、各バヨネット片１２８ａ，１２８ｂ，１２８ｃと各１２２ｃ，１２２ｂ，１２２ａの周方向の長さが対応しており、他の組合せでは、装着できないように設定されているため、この組み合わせによってのみ上記挿入動作を行うことができる。
【０１０１】
この状態から、更に、花びらフード環１０１をアタッチメントフード組立体に押し込むと、花びらフード環１０１の基端部が固定リング１０２の段差面部１０２ｃに当接する。これにより、花びらフード環１０１がこれ以上アタッチメントフード組立体に押し込まれることがない。このとき、図２２Ｂに示すように、固定リング１０２の３つの凸片１３４が花びらフード環１０１の第１凸条部１１５に押圧される。すると、固定リング１０２の３つの板ばね部１０２ｄが弾性変形する。
【０１０２】
そのため、固定リング１０２の３つの突起部１３３が、アタッチメントリング１０３の歯形リング部１２６の溝に更に押し込まれる。その結果、固定リング１０２は、これ以上、アタッチメントリング１０３に対しての周方向の回転移動が阻止される。また、予め固定リング１０２は、リング側目印１３２をレンズ側目印４１に合わせた角度に調節されている。これにより、固定リング１０２は、レンズ側目印４１とリング側目印１３２の位置が合った角度位置で固定される。
【０１０３】
これと同時に、図２３に示すように、固定リング１０２の３つの第１係合爪１３６が、花びらフード環の第１凸条部１１５の３つの突起片１１９に押圧される。その結果、３つの第１係合爪１３６のフック片が更にアタッチメントリング１０３の第１の溝１２５にくい込む。これにより、固定リング１０２とアタッチメントリング１０３の軸方向のガタツキが防止又は抑制される。
【０１０４】
次に、固定リング１０２が固定された状態で、花びらフード環１０１を所定の回転方向に回転させる。このとき、第１のバヨネット部１１２の第１バヨネット爪１１２ａ及び第２バヨネット爪１１２ｂの周方向の一端には、ストッパ片１１４，１１４が設けられている。そのため、花びらフード環１０１を逆方向に回転させようとすると、バヨネット受部１２８の第１バヨネット片１２８ａの周方向の端部が第２バヨネット爪１１２ｂのストッパ片１１４に当接すると共に、バヨネット受部１２８の第３バヨネット片１２８ｃの周方向の端部が第１バヨネット爪１１２ａのストッパ片１１４に当接する。その結果、花びらフード環１０１は、逆方向への回転が阻止されることから、所定方向へのみ回転させることが可能となる。
【０１０５】
そして、花びらフード環１０１を所定の回転方向に回転させると、第１バヨネット爪１１２ａは、第１バヨネット片１２８ａと段差面部１０２ｃの間に入り込む。同様に、第２バヨネット爪１２ｂは、第２バヨネット片１２８ｂと段差面部１０２ｃの間に入り込む。そして、第３バヨネット爪１２ｃは、第３バヨネット片１２８ｃと段差面部の１０２ｃの間に入り込む。この状態から、更に花びらフード環１０１を回転させると、第１バヨネット爪１１２ａのフック部１１３が第１バヨネット片１２８ａの突起１２９ａを乗り越える。同様に、第２バヨネット爪１１２ｂのフック部１１３が第２バヨネット片１２８ｂの突起１２９ｂを乗り越える。更に、第３バヨネット爪１１２ｃのフック部１１３が第３バヨネット片１２８ｃの突起１２９ｃを乗り越える。
【０１０６】
その結果、花びらフード環１０１の第１のバヨネット部１１２と固定リング１０２のバヨネット受部１２８がバヨネット結合される。このとき、ユーザーは、３つのバヨネット爪１１２ａ〜１１２ｃのフック部１１３が３つの突起１２９ａ〜１２９ｃを乗り越える際のクリック音によって花びらフード環１０１が係合状態となったことを認識することができる。これにより、第１の花びら部片１１１ａ，１１１ａがレンズ装置７の上下方向に向けて配置され、第２の花びら部片１１１ｂ、１１１ｂがレンズ装置７の左右方向に向けて配置される。そのため、花びらフード環１０１をレンズ装置７にバランス良く且つ簡単に取り付けることができる。
【０１０７】
次に、花びらフード環１０１を取り外す場合には、まず、花びらフード環１０１を取り付ける時とは反対方向に回転させ、フード側目印１２１をリング側目印１３２の位置に合うまで回転させる。すると、バヨネット受部１２８の第１バヨネット片１２８ａの位置に第１開口部１２２ａが移動し、第２バヨネット片１２８ｂの位置に第２開口部１２２ｂが移動し、第３バヨネット片１２８ｃの位置に第３開口部１２２ｃが移動する。この状態から、花びらフード環１０１をアタッチメントフード組立体から離反する方向、即ち、レンズの光軸方向に引き抜く。これにより、花びらフード環１０１を簡単に取り外すことができる。
【０１０８】
次に、花びらフード環１０１を裏返してアタッチメントフード組立体に取り付ける場合について説明する。まず、図２７に示すように、花びらフード環１０１を裏返して、所定の角度位置で、アタッチメントフード組立体に押し込む。すると、固定リング１０２の第１バヨネット片１２８ａが、花びらフード環１０１の第１開口部１２３ａに入り込む。そして、固定リング１０２の第２バヨネット片１２８ｂが、花びらフード環１０１の第２開口部１２３ｂに入り込む。更に、固定リング１０２の第３バヨネット片１２８ｃが、花びらフード環１０１の第３開口部１２３ｃに入り込む。このとき、図２１Ａ及び図２１Ｂに示すように、各バヨネット片１２８ａ，１２８ｂ，１２８ｃと各開口部１２３ａ，１２３ｂ，１２３ｃの周方向の長さが対応しており、他の組合せでは、装着できないように設定されている。
【０１０９】
この状態から、更に、花びらフード環１０１をアタッチメントフード組立体に押し込むと、第２のバヨネット部１１７において幅方向の先端部側の端面が固定リング１０２の段差面部１０２ｃに当接する。これにより、花びらフード環１０１がこれ以上アタッチメントフード組立体に押し込まれないようになる。
【０１１０】
このとき、図２２Ｂに示すように、固定リング１０２の３つの凸片１３４が花びらフード環１０１の第２凸条部１１６に押圧される。すると、固定リング１０２の板ばね部１０２ｄが弾性変形する。そのため、固定リング１０２の突起部１３３が、アタッチメントリング１０３の歯形リング部１２６の溝に更に押し込まれる。その結果、固定リング１０２は、これ以上、アタッチメントリング１０３に対しての周方向の回転移動が阻止される。これと同時に、図２３に示すように、固定リング１０２の３つの第１係合爪１３６が、花びらフード環の第２凸条部１１６の３つの突起片１２０に押圧される。その結果、３つの第１係合爪１３６のフック片が更にアタッチメントリング１０３の第１の溝１２５にくい込む。これにより、固定リング１０２とアタッチメントリング１０３の軸方向のガタツキが防止又は抑制される。
【０１１１】
次に、花びらフード環１０１を所定の回転方向に回転させる。このとき、第２のバヨネット部１１７の第１バヨネット爪１１７ａ及び第２バヨネット爪１１７ｂの周方向の一端には、ストッパ片１１８，１１８が設けられている。そのため、花びらフード環１０１を逆方向に回転させようとすると、バヨネット受部１２８の第１バヨネット片１２８ａの周方向の端部が第２バヨネット爪１１７ｂのストッパ片１１８に当接する。また、バヨネット受部１２８の第３バヨネット片１２８ｃの周方向の端部が第１バヨネット爪１１７ａのストッパ片１１８に当接する。その結果、花びらフード環１０１は、逆方向への回転が阻止される。これにより、第１のフード環１０１を所定方向へのみ回転させることが可能となる。
【０１１２】
そして、花びらフード環１０１を所定の回転方向に回転させると、第１バヨネット爪１１７ａは、第１バヨネット片１２８ａと段差面部１０２ｃの間に入り込む。同様に、第２バヨネット爪１１７ｂは、第２バヨネット片１２８ｂと段差面部１０２ｃの間に入り込む。そして、第３バヨネット爪１１７ｃは、第３バヨネット片１２８ｃと段差面部の１０２ｃの間に入り込む。
【０１１３】
上記の状態から、更に花びらフード環１０１を回転させると、第１バヨネット爪１１７ａのフック部１１３が第１バヨネット片１２８ａの突起１２９ａを乗り越える。同様に、第２バヨネット爪１１７ｂのフック部１１３が第２バヨネット片１２８ｂの突起１２９ｂを乗り越える。更に、第３バヨネット爪１１７ｃのフック部１１３が第３バヨネット片１２８ｃの突起１２９ｃを乗り越える。その結果、花びらフード環１０１の第２のバヨネット部１１７と固定リング１０２のバヨネット受部１２８をバヨネット結合することができる。このとき、ユーザーは、３つのバヨネット爪１１７ａ〜１１７ｃのフック部１１３が３つの突起１２９ａ〜１２９ｃを乗り越える際のクリック音によって花びらフード環１０１が係合状態となったことを認識することができる。これにより、花びらフード環１０１を裏返してデジタルスチルカメラ１に取り付けることができる。また、このような状態においても、撮影することは可能である。
【０１１４】
このようにしてレンズ装置７にレンズフード１００を装着することができる。そして、一度、固定リングの角度位置を設定すると、図２２Ａに示すように、当該固定リング１０２の突起部１３３がアタッチメントリング１０３の歯形リング部１２６に噛み合っているため、固定リング１０２は、適度な固定力でアタッチメントリング１０３に固定される。そのため、花びらフード環１０１を装着する度に、固定リング１０２の角度調節する必要がなく、その結果、花びらフード環１０１を常に同じ角度で装着することができる。これにより、花びらフード環１０１を装着する度に、当該花びらフード環１０１の花びら部片１１１の配置を調節する手間を省くことができる。更に、花びらフード環１０１は、アタッチメントフード組立体に対して、バヨネット結合によりワンタッチで装着することができるため、素早く装着することができる。
【０１１５】
また、アタッチメントリング１０３は、ネジ部を螺合してレンズ装置７に固定して取り付けられる。そのため、従来では、花びらフード環１０１の固定時の角度位置は、アタッチメントリング１０３とレンズ装置７のねじ切り位置に依存される。その結果、アタッチメントリング１０３とレンズ装置７のねじ切り位置を正確に形成することが難しく、花びらフード環１０１の取り付け角度を調整することが困難であった。しかしながら、このレンズフード１００によれば、固定リング１０２の角度を調節するだけで、花びらフード環１０１の取り付け角度を任意に好適な角度位置に調整することができる。これにより、アタッチメントリング１０３とレンズ装置７のねじ切り位置を正確に形成する必要がなく、簡単に花びらフード１０１の角度位置を調節することができる。
【０１１６】
また、レンズ装置７が例えば、図１２に示すように、レンズ装置７の先端からレンズ系が前後に移動する沈胴式レンズの場合では、レンズ系が前後に移動する際に、レンズ系にゴミ等が付着し、内部にゴミ等が侵入して不具合を発生させるおそれがある。そこで、レンズフード１００を取り付けると、レンズ装置７の側面がレンズフード１００で覆われているため外部からゴミ等が進入することを防ぐことができる。
【０１１７】
以上説明してきたように、本発明のレンズフードによれば、固定リングがアタッチメントリングに回動可能に取り付けられると共に、係合受部である歯形リング部に係合離脱可能な係合部である突起部を固定リングに設けた。そして、この歯形リング部と突起部によりラチェット形式の回転止め機構を構成した。これにより、適度なクリック感と固定力によって固定リングの角度位置を任意に調整することができると共に、第１のフード環である花びらフード環を取り付けた際には、所望の位置で簡単に固定リングと第２のフード環との間の相対的な回動を阻止することができる。そして、花びらフード環を所望の位置で簡単に固定することができる。また、花びらフード環にバヨネット部を設け、固定リングにこのバヨネット部に係合可能なバヨネット受部を設けた。これにより、花びらフード環の着脱をワンタッチで用意に行うことができる。
【０１１８】
尚、本発明は前述しかつ図面に示した実施の形態に限定されるものではなく、その要旨を逸脱しない範囲内で種々の変形実施が可能である。例えば、前記実施例においては撮像装置としてデジタルスチルカメラを適用した例について説明したが、フィルム式スチルカメラ、デジタルビデオカメラ、フィルム式ビデオカメラその他の撮像装置にも適用できるものである。
【０１１９】
また、前記実施例においては、バヨネット爪及びバヨネット受部の数を３つ配置し、周方向の１箇所でのみ係合可能な構成とした例について説明したが、バヨネット爪及びバヨネット受部の数は、２つ或いは４つ以上でもよいことは勿論である。例えば、バヨネット爪及びバヨネット受部の数が２つ又は４つの場合、例えば、隣り合うバヨネット爪及びバヨネット受部の間隔を同一にして周方向の２箇所で係合可能としてもよく、また、隣り合うバヨネット爪及びバヨネット受部の間隔を変えて周方向の１箇所でのみ係合可能な構成としてもよい。
【図面の簡単な説明】
【０１２０】
【図１】本発明の撮像装置の第１の実施例に係るデジタルスチルカメラを正面側から見た斜視図である。
【図２】本発明の撮像装置の第１の実施例に係るデジタルスチルカメラを背面側から見た斜視図である。
【図３】本発明の撮像装置の第１の実施例に係るデジタルスチルカメラの背面図である。
【図４】本発明の撮像装置の第１の実施例に係るデジタルスチルカメラの一部を断面した側面図である。
【図５】本発明の撮像装置の第１の実施例に係るデジタルスチルカメラの表示部を略９０度回動させて表示面を上方に向けた状態を示す斜視図である。
【図６】図５の状態から表示部を略９０度下方に回動させて表示面を背面側に向けた状態を示す斜視図である。
【図７】本発明の撮像装置の第１の実施例に係るデジタルスチルカメラのヒンジ部を示す斜視図である。
【図８】本発明の撮像装置の第１の実施例に係るデジタルスチルカメラの表示部の表示面を上方に向けて一部を断面した状態を示す側面図である。
【図９】本発明の撮像装置の第１の実施例に係るデジタルスチルカメラの表示部の表示面を下方に向けた状態を示す側面図である。
【図１０】撮像装置のレンズ装置に本発明の第１の実施の例に係るレンズフードを取り付けた状態を示す斜視図である。
【図１１】撮像装置のレンズ装置に本発明の第１の実施の例に係るレンズフードを取り付けた状態を示す平面図である。
【図１２】撮像装置のレンズ装置に本発明の第１の実施の例に係るレンズフードを取り付けた状態を示す側面図である。
【図１３】本発明の第１の実施の例に係るレンズフードを示すもので、通常の使用状態を示す斜視図である。
【図１４】本発明の第１の実施の例に係るレンズフードを示すもので、レンズフードを裏返しに取り付けた使用状態を示す斜視図である。
【図１５】本発明の第１の実施の例に係るレンズフードを示すもので、図１５Ａは側面図、図１５Ｂは図１５ＡのＴ−Ｔ線断面図である。
【図１６】本発明の第１の実施の例に係るレンズフードを示す分解斜視図である。
【図１７】本発明の第１の実施の例に係るレンズフードを構成する花びらフード環（第１のフード環）を軸方向に断面して示す説明図である。
【図１８】本発明の第１の実施の例に係るレンズフードを構成するアタッチメントリング（第２のフード環）を示すもので、図１８Ａは軸方向で断面した説明図、図１８Ｂは外周の要部を拡大して示す説明図である。
【図１９】本発明の第１の実施の例に係るレンズフードを構成する固定リングを示すもので、図１９Ａは平面図、図１９Ｂは側面図である。
【図２０】本発明の第１の実施の例に係るレンズフードを構成する固定リングを示すもので、図１９ＢのＳ−Ｓ線断面図である。
【図２１】本発明の第１の実施の例に係るレンズフードを構成する花びらフード環（第１のフード環）、固定リング及びアタッチメントリング（第２のフード環）の周面形状を展開して示すもので、図２１Ａは花びらフード環（第１のフード環）の内周面を示す説明図、図２１Ｂは固定リングの外周面を示す説明図、図２１Ｃは固定リングの内周面を示す説明図、図２１Ｄはアタッチメントリング（第２のフード環）の外周面を示す説明図である。
【図２２】本発明の第１の実施の例に係るレンズフードを構成する花びらフード環（第１のフード環）、固定リング及びアタッチメントリング（第２のフード環）の係合状態を説明するもので、図２２Ａは図１５ＢのＱ部分を拡大して示す固定リングとアタッチメントリング（第２のフード環）の断面図、図２２Ｂは図１５ＢのＲ部分を拡大して示す花びらフード環（第１のフード環）と固定リングとアタッチメントリング（第２のフード環）の断面図である。
【図２３】本発明の第１の実施の例に係るレンズフードを構成する花びらフード環（第１のフード環）、固定リング及びアタッチメントリング（第２のフード環）の係合状態を説明するもので、図１５ＢのＵ−Ｕ線部分の断面図である。
【図２４】本発明の第１の実施の例に係るレンズフードの花びらフード環（第１のフード環）をアタッチメントフード組立体に装着する状態を示すもので、図２４Ａは花びらフード環（第１のフード環）の通常の使用状態における装着前の状態を示す斜視図、図２４Ｂは花びらフード環（第１のフード環）を裏返して装着する前の状態を示す斜視図である。
【図２５】撮像装置のレンズ装置に本発明の第１の実施の例に係るレンズフードを装着する前の状態を示す斜視図である。
【図２６】撮像装置のレンズ装置に本発明の第１の実施の例に係るレンズフードを装着する状態を説明するもので、固定リングとレンズ装置の位置合わせを示す説明図である。
【図２７】撮像装置のレンズ装置に本発明の第１の実施の例に係るレンズフードを装着する状態を説明するもので、レンズ装置に花びらフード環（第１のフード環）を通常の使用状態で装着する前の説明図である。
【図２８】撮像装置のレンズ装置に本発明の第１の実施の例に係るレンズフードを装着する状態を説明するもので、花びらフード環（第１のフード環）を裏返して装着する前の説明図である。
【符号の説明】
【０１２１】
１…デジタルスチルカメラ（撮像装置）、  ７…レンズ装置、  １００…レンズフード、  １０１…花びらフード環（第１のフード環）、  １０２…固定リング、  １０２ｂ…締結部（円筒部）、  １０２ｄ…板ばね部、  １０３…アタッチメントリング（第２のフード環）、  １０３ａ…ネジ部（取り付け部）、  １１１…花びら部片、  １１１ａ…第１の花びら部片、  １１１ｂ…第２の花びら部片、  １１２…第１のバヨネット部、  １１５…第１凸条部、  １１６…第２凸条部、  １１７…第２のバヨネット部、  １１９，１２０…突起片、  １２５…第１の溝（環状溝）、  １２６…歯形リング部（係合受部）、  １２８…バヨネット受部、  １３３…突起部（係合部）、  １３４…凸片、  １３６…第１係合爪（係合爪）
【図１】
2008203683.tif 000003
【図２】
2008203683.tif 000004
【図３】
2008203683.tif 000005
【図４】
2008203683.tif 000006
【図５】
2008203683.tif 000007
【図６】
2008203683.tif 000008
【図７】
2008203683.tif 000009
【図８】
2008203683.tif 000010
【図９】
2008203683.tif 000011
【図１０】
2008203683.tif 000012
【図１１】
2008203683.tif 000013
【図１２】
2008203683.tif 000014
【図１３】
2008203683.tif 000015
【図１４】
2008203683.tif 000016
【図１５】
2008203683.tif 000017
【図１６】
2008203683.tif 000018
【図１７】
2008203683.tif 000019
【図１８】
2008203683.tif 000020
【図１９】
2008203683.tif 000021
【図２０】
2008203683.tif 000022
【図２１】
2008203683.tif 000023
【図２２】
2008203683.tif 000024
【図２３】
2008203683.tif 000025
【図２４】
2008203683.tif 000026
【図２５】
2008203683.tif 000027
【図２６】
2008203683.tif 000028
【図２７】
2008203683.tif 000029
【図２８】
2008203683.tif 000030